(57)【要約】【課題】例えば、より不都合が少なくなるよう改善された新規な構成の止水装置を得る。【解決手段】実施形態の止水装置は、例えば、構造物の屋内側と屋外側とを連通し床面と隣接した開口部、を覆う止水板と、止水板の下端部に沿って延び、下端部と床面に設けられ当該床面と交差した段差面との間をシールする第一シール部材と、第一シール部材を保持する保持部を有し、下端部に固定された第一保持部材と、を備える。【選択図】図４
2020079506.tif 000002
【特許請求の範囲】
【請求項１】
構造物の屋内側と屋外側とを連通し床面と隣接した開口部、を覆う止水板と、
前記止水板の下端部に沿って延び、前記下端部と前記床面に設けられ当該床面と交差した段差面との間をシールする第一シール部材と、
前記第一シール部材を保持する保持部を有し、前記下端部に固定された第一保持部材と、
を備えた、止水装置。
【請求項２】
前記第一保持部材には、前記止水板の厚さ方向に沿って延び、当該第一保持部材と前記止水板との相対的な前記厚さ方向の取付位置を調整可能な長穴が設けられた、請求項１に記載の止水装置。
【請求項３】
前記保持部と前記下端部との間に介在された介在部材を備えた、請求項１または２に記載の止水装置。
【発明の詳細な説明】
【技術分野】
【０００１】
本発明は、止水装置に関する。
【背景技術】
【０００２】
従来、構造物に設けられた開口部を覆う止水板と、止水板の下端部に沿って延び当該下端部と床面に設けられた段差面との間をシールするシール部材と、を備えた止水装置が、知られている（例えば、特許文献１参照）。
【先行技術文献】
【特許文献】
【０００３】
【特許文献１】特開２０１３−１５９９１１号公報
【発明の概要】
【発明が解決しようとする課題】
【０００４】
この種の止水装置では、例えば、シール部材が止水板の厚さ方向への反りに追従した姿勢で取り付けられるのを抑制できる等、より不都合が少なくなるよう改善された新規な構成が得られれば、有益である。
【０００５】
そこで、本発明の課題の一つは、例えば、より不都合が少なくなるよう改善された新規な構成の止水装置を得ることである。
【課題を解決するための手段】
【０００６】
本発明の止水装置は、例えば、構造物の屋内側と屋外側とを連通し床面と隣接した開口部、を覆う止水板と、上記止水板の下端部に沿って延び、上記下端部と上記床面に設けられ当該床面と交差した段差面との間をシールする第一シール部材と、上記第一シール部材を保持する保持部を有し、上記下端部に固定された第一保持部材と、を備える。このような構成によれば、例えば、止水板とは別の第一保持部材を利用することにより、第一シール部材が止水板の厚さ方向への反りに追従した姿勢で取り付けられるのを抑制することができる。よって、例えば、第一シール部材と段差面とが下端部に沿って密着しやすくなり、ひいては第一シール部材による止水性能の低下を抑制することができる。
【０００７】
また、上記止水装置では、例えば、上記第一保持部材には、上記止水板の厚さ方向に沿って延び、当該第一保持部材と上記止水板との相対的な上記厚さ方向の取付位置を調整可能な長穴が設けられる。このような構成によれば、例えば、長穴を利用して第一保持部材と止水板との取付位置を調整することにより、より容易に、あるいはより円滑に、第一保持部材を止水板に取り付けることができる。
【０００８】
また、上記止水装置では、例えば、上記保持部と上記下端部との間に介在された介在部材を備える。このような構成によれば、介在部材によって保持部と下端部との間の隙間を埋めることができるため、例えば、止水板の設置時に第一シール部材と段差面との間の面圧が確保されやすくなり、ひいては第一シール部材による止水性能の低下をより一層抑制することができる。
【発明の効果】
【０００９】
本発明によれば、例えば、より不都合が少なくなるよう改善された新規な構成の止水装置を得ることができる。
【図面の簡単な説明】
【００１０】
【図１】図１は、実施形態の止水装置の例示的かつ模式的な正面図であって、止水板が第一位置に位置された状態の図である。
【図２】図２は、実施形態の止水装置の例示的かつ模式的な側面図（一部断面図）であって、止水板が第一位置に位置された状態の図である。
【図３】図３は、実施形態の止水装置の例示的かつ模式的な側面図（一部断面図）であって、止水板が第二位置に位置された状態の図である。
【図４】図４は、実施形態の止水板および第一保持部材の長手方向の略中央部での例示的な断面図である。
【図５】図５は、実施形態の止水板の長手方向の他端部の例示的な斜視図である。
【図６】図６は、実施形態の止水板の長手方向の一端部の例示的な斜視図である。
【図７】図７は、実施形態の第一保持部材および止水板の長手方向の他端部（一端部）での例示的な断面図である。
【図８】図８は、実施形態の第二保持部材の例示的な断面図である。
【図９】図９は、変形例の止水装置の止水板の例示的な断面図である。
【図１０】図１０は、変形例の第一保持部材および止水板の長手方向の他端部（一端部）での例示的な断面図である。
【図１１】図１１は、変形例の第一保持部材および止水板の長手方向の略中央部での例示的な断面図である。
【発明を実施するための形態】
【００１１】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１２】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１３】
［実施形態］
図１は、止水装置１の正面図であって、止水板４が第一位置Ｐ１に位置された状態の図である。図２は、止水装置１の側面図（一部断面図）であって、止水板４が第一位置Ｐ１に位置された状態の図である。図３は、止水装置１の側面図（一部断面図）であって、止水板４が第二位置Ｐ２に位置された状態の図である。第一位置Ｐ１は、閉塞位置（閉位置）等とも称され、第二位置Ｐ２は、開放位置（開位置）等とも称される。
【００１４】
図１，２に示されるように、止水装置１は、例えば、構造物１００に設けられた開口部１０１を開閉可能に覆うシャッター装置である。止水装置１は、シャッターカーテン３（開閉体）と、止水板４と、ガイドレール５と、巻取装置６と、後述する保持部材７，９（図４，５参照）と、止水ゴム８，１０（図７，８参照）と、を備えている。構造物１００は、例えば、車庫や、工場、倉庫、ビル、店舗、住宅等の建築構造物であり、開口部１０１を介して自動車等の車両や人間等が出入りしうる。止水装置１は、止水板付きシャッター等とも称される。
【００１５】
なお、以下の各図では、便宜上、互いに直交する三方向が定義されている。Ｘ方向は、止水板４の厚さ方向（前後方向）に沿うとともに、開口部１０１の開口方向（貫通方向）に沿う。Ｙ方向は、止水板４の長手方向（左右方向、幅方向）に沿うとともに、開口部１０１の幅方向に沿う。Ｚ方向は、止水板４の高さ方向（上下方向、短手方向）に沿うとともに、開口部１０１の高さ方向に沿う。
【００１６】
また、以下の説明では、開口部１０１を介してＸ方向の一方の空間から他方の空間へ水が浸入する可能性がある場合のＸ方向の他方（下流側）が屋内側と定義され、Ｘ方向の一方（上流側）が屋外側と定義される。すなわち、屋内側とは、止水板４によって水の浸入を防止（阻止、抑制）したい側であり、屋外側とは、浸入可能性のある水が流れてくる側のことである。また、以下の説明では、床面１０２とは、開口部１０１の下方に位置する面を意味する便宜上の文言であり、通常の床面１０２に限らず、コンクリート面や地面等を含むものとする。床面１０２は、設置面等とも称されうる。
【００１７】
図２，３に示されるように、シャッターカーテン３は、開口部１０１を開閉可能に覆っている。シャッターカーテン３は、止水板４とともにＺ方向に沿って移動することで開口部１０１を開閉する。シャッターカーテン３（開口部１０１）の開方向は、図１〜３の上方向（Ｚ方向）、すなわち床面１０２から離れる方向であり、閉方向は、図１〜３の下方向、すなわち床面１０２に近付く方向である。
【００１８】
シャッターカーテン３は、止水板４と接続された下端部３ａと、下端部３ａとは反対側に位置され巻取装置６の巻取軸１２（図２参照）と接続された上端部３ｂと、を有している。シャッターカーテン３は、例えば、複数の帯板状のスラットをＺ方向に連接したスラット連接体等によって構成されうる。
【００１９】
止水板４は、シャッターカーテン３と床面１０２との間に設けられている。止水板４は、シャッターカーテン３とともに開口部１０１を開閉可能に覆っている。止水板４は、例えば、Ｘ方向に所定の厚さを有し、Ｙ方向およびＺ方向に沿って延びるとともに、Ｙ方向に横長な直方体状に構成されている。止水板４は、防錆性を有する板状の金属材を加工してパネル状に構成されている。
【００２０】
止水板４は、例えば、止水ゴム８（図４参照）が設けられた下端部４ａと、下端部４ａとは反対側に位置されシャッターカーテン３と接続された上端部４ｂと、を有している。止水板４は、シャッターカーテン３と一体に、開口部１０１を閉じる第一位置Ｐ１（図２参照）と、開口部１０１を開く第二位置Ｐ２（図３参照）と、の間で移動可能に構成されている。
【００２１】
止水板４が第一位置Ｐ１に位置された状態では、止水ゴム８（図４参照）と床面１０２に設けられた沓摺１１０とが当接し、シャッターカーテン３とともに開口部１０１が閉じられる。これにより、下端部４ａと沓摺１１０（床面１０２）との間がシールされ、開口部１０１を介した屋内側への雨水等の水の浸入が、防止（阻止、抑制）される。
【００２２】
また、図３に示されるように、止水板４が第二位置Ｐ２に位置された状態では、下端部４ａが沓摺１１０（床面１０２）からシャッターカーテン３とともにＺ方向に離間する。これにより、開口部１０１の少なくとも一部が開放される。第二位置Ｐ２は、例えば、止水板４が巻取装置６の下方に隣接（近接）した位置である。なお、第二位置Ｐ２は、この例には限定されず、例えば、シャッターケース１１内に収納された位置等であってもよい。
【００２３】
図１に示されるように、ガイドレール５は、シャッターカーテン３および止水板４のＹ方向の両端部に設けられている。ガイドレール５は、例えば、Ｙ方向の中央部側に向けて開放された略Ｕ字状の断面を有し、床面１０２と巻取装置６との間に亘ってＺ方向に直線状に延びている。ガイドレール５は、シャッターカーテン３および止水板４をＺ方向に沿ってスライド可能に支持する。
【００２４】
巻取装置６は、シャッターカーテン３およびガイドレール５の上方（Ｚ方向）に設けられている。図１，２に示されるように、巻取装置６は、例えば、シャッターケース１１や、巻取軸１２、開閉機１３、動力伝達機構１５等を有している。巻取装置６は、構造物１００における躯体１０３の屋内側のスペースに設置されている。躯体１０３は、天井部材等とも称される。なお、図１では、便宜上、躯体１０３は、図示省略されている。
【００２５】
シャッターケース１１は、例えば、Ｙ方向に横長な直方体状の箱型に構成されている。シャッターケース１１には、巻取軸１２や、開閉機１３、動力伝達機構１５、シャッターカーテン３等が収容されている。
【００２６】
また、シャッターケース１１には、シャッターカーテン３が出入りする開口部１１ａ１（図２参照）が設けられている。開口部１１ａ１は、シャッターケース１１の底壁１１ａをＺ方向に貫通するとともにシャッターカーテン３に沿ってＹ方向に細長く延びた長穴である。開口部１１ａ１のＹ方向の両端部は、ガイドレール５とＺ方向に並んでいる。
【００２７】
巻取軸１２は、シャッターケース１１にＹ方向に沿った回転中心Ａｘ１回りに回転可能に支持されている。巻取軸１２には、シャッターカーテン３の上端部３ｂが接続されている。巻取軸１２は、回転中心Ａｘ１回りに回転することで、シャッターケース１１内にシャッターカーテン３を巻き取って収納したり、シャッターケース１１外にシャッターカーテン３を引き出したりする。
【００２８】
開閉機１３は、例えば、駆動源としてのモータや、巻取軸１２の回転を制動するブレーキ機構、モータおよびブレーキ機構を制御する制御部等を有している。開閉機１３は、チェーンやスプロケット等を含む動力伝達機構１５を介して、巻取軸１２と接続されている。これにより、開閉機１３から巻取軸１２に駆動力が伝達される。
【００２９】
次に、止水板４、保持部材７，９、および止水ゴム８，１０についてより詳しく説明する。図４は、止水板４および保持部材７のＹ方向の略中央部での断面図である。図５は、止水板４のＹ方向の他端部の斜視図である。図６は、止水板４のＹ方向の一端部の斜視図である。保持部材７は、第一保持部材の一例であり、止水ゴム８は、第一シール部材の一例である。止水ゴム８は、止水板４の下端部４ａと沓摺１１０（床面１０２）との間をシールする。止水ゴム８は、底部止水ゴム等とも称される。
【００３０】
なお、図５，６では、便宜上、止水ゴム８，１０が図示省略されている。また、図６では、便宜上、保持部材９が図示省略されている。言い換えると、保持部材９は、止水板４のＹ方向の一端部に設けられた保持部材９Ａ（図８参照）と、止水板４のＹ方向の他端部に設けられた保持部材９Ｂ（図５参照）と、を含む。保持部材９は、第二保持部材の一例であり、止水ゴム１０は、第二シール部材の一例である。止水ゴム１０は、止水板４のＹ方向の両端部とガイドレール５との間をシールする。止水ゴム１０は、側部止水ゴム等とも称される。
【００３１】
図４に示されるように、止水板４は、例えば、前壁４ｃや、後壁４ｄ、底壁４ｅ、天壁４ｆ、補強壁４ｇ、支持壁４ｈ等の複数の壁部を有している。前壁４ｃは、Ｘ方向と直交する方向（ＹＺ平面）に沿って延びるとともに、Ｙ方向に横長な長方形状の板状に構成されている。前壁４ｃは、止水板４の屋外側を向いた面の少なくとも一部を構成している。
【００３２】
後壁４ｄは、前壁４ｃの屋内側、すなわちＸ方向の他方に離間して位置されている。後壁４ｄは、前壁４ｃに沿って延びた長方形状の板状に構成されている。後壁４ｄのＸ方向に沿った厚さは、前壁４ｃのＸ方向に沿った厚さと略同じである。後壁４ｄは、止水板４の屋内側を向いた面の少なくとも一部を構成している。
【００３３】
底壁４ｅは、前壁４ｃの下端部と後壁４ｄの下端部との間に亘り、天壁４ｆは、前壁４ｃの上端部と後壁４ｄの上端部との間に亘っている。底壁４ｅおよび天壁４ｆは、いずれも、Ｚ方向と直交する方向（ＸＹ平面）に沿って延びるとともに、Ｙ方向に横長な長方形状の板状に構成されている。底壁４ｅは、止水板４の下端部４ａの少なくとも一部を構成し、天壁４ｆは、止水板４の上端部４ｂの少なくとも一部を構成している。
【００３４】
補強壁４ｇは、後壁４ｄの屋内側に位置されている。補強壁４ｇは、Ｙ方向と直交したＸＺ断面（図４参照）が、後壁４ｄ側に向けて開放された略Ｕ字状に構成されている。補強壁４ｇは、後壁４ｄの上端部と接続された一端部４ｇ１と、後壁４ｄの略中央部と接続された他端部４ｇ２と、一端部４ｇ１と他端部４ｇ２との間に亘り後壁４ｄから屋内側に離れて位置された中間部４ｇ３と、を有している。補強壁４ｇは、後壁４ｄに沿ってＹ方向に延びている。
【００３５】
支持壁４ｈは、止水板４の下端部４ａ、具体的には後壁４ｄの下端部に設けられている。すなわち、支持壁４ｈは、補強壁４ｇの下方に離間して位置されている。支持壁４ｈは、後壁４ｄから屋内側に突出し、Ｙ方向に沿って延びている。支持壁４ｈは、保持部材７とＺ方向に面し、下端部４ａ（Ｙ方向）に沿って保持部材７を支持する。
【００３６】
図７は、保持部材７および止水板４のＹ方向の他端部（一端部）での断面図である。図４，７に示されるように、保持部材７は、例えば、保持部７ａと、取付部７ｂと、を有している。保持部７ａは、Ｙ方向と直交したＸＺ断面が、屋内側（沓摺１１０の段差面１１０ａ側）に向けて開放された略Ｕ字状に構成されている。言い換えると、保持部７ａには、屋外側に向けて凹み、屋内側に向けて開放された凹部７ａ１（開口部）が設けられている。凹部７ａ１、すなわち保持部７ａは、下端部４ａに沿って延び、止水ゴム８をＹ方向に沿って保持する。
【００３７】
また、保持部７ａには、凹部７ａ１の開方端（先端部）からＺ方向に沿って互いに近づく方向に突出した一対の爪部７ａ２が設けられている。爪部７ａ２は、後述する止水ゴム８の引掛部８ｃとＸ方向に当接（引っ掛かり）可能である。爪部７ａ２は、凹部７ａ１に沿ってＹ方向に延びている。止水ゴム８は、一対の爪部７ａ２の間のスペースから凹部７ａ１内に挿入される。
【００３８】
取付部７ｂは、保持部７ａから屋外側（段差面１１０ａとは反対側）に突出し、Ｙ方向に沿って延びている。図５，６に示されるように、取付部７ｂには、保持部材７を止水板４に固定するネジやボルト等の結合具２１，２２が貫通する複数の開口部７ｃが設けられている。
【００３９】
また、開口部７ｃは、例えば、固定用の結合具２１が挿入される丸穴７ｃ１と、位置調整用の結合具２２が挿入される長穴７ｃ２と、を含む。長穴７ｃ２は、取付部７ｂをＺ方向に貫通するとともに、Ｘ方向に沿って横長に延びている。本実施形態では、複数の丸穴７ｃ１（結合具２１）と、複数の長穴７ｃ２（結合具２２）とが、Ｘ方向に互いに間隔をあけて交互に設けられている。
【００４０】
また、図７に示されるように、取付部７ｂの開口部７ｃの周囲には、遮水シート２５が設けられている。遮水シート２５は、取付部７ｂと下端部４ａとの間に挟まれることで、弾性的に圧縮され、面圧を生じる。この面圧によって、長穴７ｃ２や丸穴７ｃ１等から保持部材７と下端部４ａとの間を経由して屋内側に水が漏れ出るのが抑制されている。遮水シート２５は、第三シール部材の一例であり、マットシーラ等とも称される。
【００４１】
止水ゴム８は、例えば、ベース部８ａと、挿入部８ｂと、引掛部８ｃと、を有している。ベース部８ａは、Ｚ方向に所定の幅を有し、Ｙ方向に沿って細長く延びた帯板状に構成されている。ベース部８ａは、保持部材７の凹部７ａ１（保持部７ａ）の外側に位置されている。言い換えると、ベース部８ａは、凹部７ａ１（挿入部８ｂ）から屋内側に突出している。
【００４２】
ベース部８ａは、止水板４が第一位置Ｐ１に位置された状態で、沓摺１１０の段差面１１０ａ（図４参照）と止水板４（保持部材７）との間に介在する。ベース部８ａは、段差面１１０ａと止水板４との間に挟まれることで、弾性的に圧縮され、面圧を生じる。この面圧によって、段差面１１０ａと止水板４との間から屋内側に水が浸入するのが抑制される。段差面１１０ａは、床面１０２と交差（直交）している。段差面１１０ａは、垂直面や、受面、設置面等とも称されうる。
【００４３】
挿入部８ｂは、ベース部８ａから屋外側に突出し、Ｙ方向に沿って延びている。挿入部８ｂは、保持部７ａの凹部７ａ１内に挿入される。挿入部８ｂの中心には、Ｙ方向に沿って延びる貫通孔８ｂ１が設けられている。本実施形態では、例えば、貫通孔８ｂ１に棒等を挿入し、凹部７ａ１とは反対側に引っ張ることにより、止水ゴム８を保持部７ａからより容易に取り外すことができる。
【００４４】
引掛部８ｃは、挿入部８ｂから保持部７ａの一対の爪部７ａ２側に突出し、Ｙ方向に沿って延びている。図７に示されるように、引掛部８ｃは、屋外側から屋内側に向かうにつれて上方または下方に向かうように傾斜している。引掛部８ｃは、上述した保持部７ａの爪部７ａ２とＸ方向に面している。本実施形態では、引掛部８ｃと爪部７ａ２との引っ掛かりによって、止水ゴム８が凹部７ａ１から抜けるのが抑制されている。引掛部８ｃは、抜け止め部や、ストッパ部等とも称されうる。
【００４５】
このように、本実施形態では、止水ゴム８を保持する保持部材７が設けられているため、例えば、止水板４のＹ方向の略中央部（図４参照）がＹ方向の両端部（図７参照）よりも屋外側に反った場合でも、止水ゴム８が止水板４のＸ方向への反りに追従した姿勢で取り付けられるのを抑制することができる。よって、例えば、止水ゴム８と段差面１１０ａとが下端部４ａ（Ｙ方向）に沿って密着しやすくなり、ひいては止水ゴム８による止水性能の低下を抑制することができる。なお、保持部材７は、例えば、止水板４と同様に押出成型等によって製造されうる。
【００４６】
図８は、保持部材９の断面図である。図８に示されるように、保持部材９は、例えば、保持部９ａと、取付部９ｂと、を有している。保持部９ａは、Ｚ方向と直交したＸＹ断面が、屋内側（ガイドレール５の溝面５ａ側）に向けて開放された略Ｕ字状に構成されている。言い換えると、保持部９ａには、屋外側に向けて凹み、屋内側に向けて開放された凹部９ａ１（開口部）が設けられている。凹部９ａ１、すなわち保持部９ａは、止水板４のＹ方向の両端部に沿って延び、止水ゴム１０をＺ方向に沿って保持する。
【００４７】
また、保持部９ａには、保持部７ａと同様に、凹部９ａ１の開方端（先端部）からＹ方向に沿って互いに近づく方向に突出した一対の爪部９ａ２が設けられている。爪部９ａ２は、後述する止水ゴム１０の引掛部１０ｃとＸ方向に当接（引っ掛かり）可能である。爪部９ａ２は、凹部９ａ１に沿ってＺ方向に延びている。止水ゴム１０は、一対の爪部９ａ２の間のスペースから凹部９ａ１内に挿入される。
【００４８】
取付部９ｂは、保持部９ａから屋外側に突出し、Ｚ方向に沿って延びている。取付部９ｂは、止水板４のＹ方向両側の開方端（端面）を覆っている（塞いでいる）。本実施形態では、例えば、不図示のネジやボルト等の結合具が、取付部９ｂをＹ方向に貫通し、止水板４の取付穴４ｉ（図４参照）のそれぞれに結合されること等によって、保持部材９が止水板４に固定されうる。
【００４９】
また、図８に示されるように、取付部９ｂの止水板４側の面には、遮水シート２６が設けられている。遮水シート２６は、取付部９ｂと止水板４との間に挟まれることで、弾性的に圧縮され、面圧を生じる。この面圧によって、止水板４の両端面と取付部９ｂとの間から屋内側に水が漏れ出るのが抑制されている。遮水シート２６は、第四シール部材の一例であり、マットシーラ等とも称される。
【００５０】
また、凹部９ａ１の底部９ａ３には、遮水シート２６が入り込む凹部９ｃが設けられている。凹部９ｃは、底部９ａ３の凹部９ａ１とは反対側の面から屋内側に凹み、屋外側に向けて開放されている。本実施形態では、遮水シート２６は、Ｘ方向の他端部が凹部９ｃ内に入り込んだ状態で、取付部９ｂに固定（接着）されている。これにより、例えば、遮水シート２６のＸ方向の他端部がＺ方向に対して波打った状態で取り付けられた場合でも、止水板４（後壁４ｄ）のＹ方向の両端面と取付部９ｂとの間の遮水シート２６によるシール性の低下を抑制することができる。
【００５１】
止水ゴム１０は、例えば、ベース部１０ａと、挿入部１０ｂと、引掛部１０ｃと、を有している。ベース部１０ａは、Ｙ方向に所定の幅を有し、Ｚ方向に沿って細長く延びた帯板状に構成されている。ベース部１０ａは、保持部材９の凹部９ａ１（保持部９ａ）の外側に位置されている。言い換えると、ベース部１０ａは、凹部９ａ１（挿入部１０ｂ）から屋内側に突出している。
【００５２】
ベース部１０ａは、止水板４が第一位置Ｐ１に位置された状態で、ガイドレール５と止水板４（保持部材９）との間に介在する。ベース部１０ａは、ガイドレール５と止水板４との間に挟まれることで、弾性的に圧縮され、面圧を生じる。この面圧によって、ガイドレール５と止水板４との間から屋内側に水が浸入するのが抑制される。
【００５３】
挿入部１０ｂは、ベース部１０ａから屋外側に突出し、Ｚ方向に沿って延びている。挿入部１０ｂは、保持部９ａの凹部９ａ１内に挿入される。挿入部１０ｂの中心には、止水ゴム１０を保持部９ａへ挿入する際に挿入部１０ｂを潰し易く挿入し易くする貫通孔１０ｂ１が設けられている。貫通孔１０ｂ１には、止水ゴム１０を保持部９ａから取り外す際に棒等が挿入される。
【００５４】
引掛部１０ｃは、挿入部１０ｂから保持部９ａの一対の爪部９ａ２側に突出し、Ｚ方向に沿って延びている。引掛部１０ｃは、上述した保持部９ａの爪部９ａ２とＸ方向に面している。本実施形態では、引掛部１０ｃと爪部９ａ２との引っ掛かりによって、止水ゴム１０が凹部９ａ１から抜けるのが抑制されている。引掛部１０ｃは、抜け止め部や、ストッパ部等とも称されうる。
【００５５】
以上のように、本実施形態では、例えば、止水装置１は、止水板４の下端部４ａに沿って延び、下端部４ａと段差面１１０ａとの間をシールする止水ゴム８（第一シール部材）と、止水ゴム８を保持する保持部７ａを有し、下端部４ａに固定された保持部材７（第一保持部材）と、を備える。このような構成によれば、例えば、止水板４とは別の保持部材７を利用することにより、止水ゴム８が止水板４のＸ方向（厚さ方向）への反りに追従した姿勢で取り付けられるのを抑制することができる。よって、例えば、止水ゴム８と段差面１１０ａとが下端部４ａ（Ｙ方向）に沿って密着しやすくなり、ひいては止水ゴム８による止水性能の低下を抑制することができる。
【００５６】
また、本実施形態では、例えば、保持部材７には、Ｘ方向（厚さ方向）に沿って延び、当該保持部材７と止水板４との相対的なＸ方向の取付位置を調整可能な長穴７ｃ２が設けられている。このような構成によれば、例えば、長穴７ｃ２を利用して保持部材７と止水板４とのＸ方向の取付位置を調整することにより、より容易に、あるいはより円滑に、保持部材７を止水板４に取り付けることができる。
【００５７】
［変形例］
図９は、本変形例の止水装置１Ａの止水板４Ａの断面図であり、図１０は、本変形例の保持部材７Ａおよび止水板４Ａの長手方向の他端部（一端部）での断面図であり、図１１は、本変形例の保持部材７Ａおよび止水板４Ａの長手方向の略中央部での断面図である。止水装置１Ａは、上記実施形態の止水装置１と同様の構成を備えている。よって、止水装置１Ａは、当該同様の構成に基づく上記実施形態と同様の作用および効果を得ることができる。
【００５８】
ただし、本変形例では、図１１に示されるように、保持部材７Ａの保持部７ａと下端部４ａとの間にスペーサ３０，３１が設けられている点が、上記実施形態と相違している。スペーサ３０，３１は、保持部７ａと下端部４ａとの間の隙間に沿ってＹ方向に延びている。スペーサ３０，３１は、止水板４ＡのＸ方向への反りによって生じる保持部７ａと下端部４ａとの間の隙間を埋める機能を有している。スペーサ３０，３１は、介在部材の一例である。
【００５９】
また、本変形例では、支持壁４ｈは、例えば、第一突出部４ｈ１と、第二突出部４ｈ２と、を有している。第一突出部４ｈ１および第二突出部４ｈ２は、互いに間隔をあけて後壁４ｄから屋内側に突出している。そして、本変形例では、第一突出部４ｈ１と第二突出部４ｈ２との間のスペースに、下端部４ａ（Ｙ方向）に沿って保持部材７Ａが支持されている。
【００６０】
また、本変形例では、凹部７ａ１の底部７ａ３には、保持部材７Ａを止水板４Ａに固定するネジやボルト等の結合具２１が貫通する複数の開口部（不図示）が設けられている。言い換えると、保持部材７Ａには、保持部７ａから屋外側に突出した取付部７ｂ（図７参照）は設けられていない。結合具２１は、保持部材７Ａ、遮水シート２５Ａ、スペーサ３０、および止水板４の後壁４ｄをＹ方向に貫通している。
【００６１】
遮水シート２５Ａは、底部７ａ３の屋外側（止水板４Ａ側）の面に設けられている。遮水シート２５Ａは、保持部材７Ａと下端部４ａとの間、あるいは保持部材７Ａとスペーサ３０との間に挟まれることで、弾性的に圧縮され、面圧を生じる。この面圧によって底部７ａ３の結合具２１が貫通する開口部（不図示）から止水板４内に水が漏れ出るのが抑制されている。
【００６２】
以上のように、本変形例によっても、止水ゴム８を保持する保持部材７Ａが設けられているため、例えば、止水板４ＡのＹ方向の略中央部（図１１参照）がＹ方向の両端部（図１０参照）よりも屋外側に反った場合でも、止水ゴム８が止水板４ＡのＸ方向への反りに追従した姿勢で取り付けられるのを抑制することができる。よって、例えば、止水ゴム８と段差面１１０ａとが下端部４ａ（Ｙ方向）に沿って密着しやすくなり、ひいては止水ゴム８による止水性能の低下を抑制することができる。
【００６３】
また、本変形例では、止水装置１Ａは、保持部７ａと下端部４ａとの間に介在されたスペーサ３０，３１を備えている。このような構成によれば、スペーサ３０，３１によって保持部７ａと下端部４ａとの間の隙間を埋めることができるため、例えば、止水板４Ａの設置時に止水ゴム８と段差面１１０ａとの間の面圧が確保されやすくなり、ひいては止水ゴム８による止水性能の低下をより一層抑制することができる。
【００６４】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００６５】
例えば、介在部材としてのスペーサは、実施形態の止水装置に適用されてもよい。また、例えば、止水装置は、止水板とシャッターカーテンとが一体となったもの（止水板付きシャッター）には限定されず、止水板が構造物の開口部に単独で設置されるものであってもよい。
【符号の説明】
【００６６】
１，１Ａ…止水装置、４，４Ａ…止水板、４ａ…下端部、７…保持部材（第一保持部材）、７ａ…保持部、７ｃ２…長穴、８…止水ゴム（第一シール部材）、３０，３１…スペーサ（介在部材）、１０１…開口部、１０２…床面、１１０ａ…段差面、Ｘ…厚さ方向。
【図１】
2020079506.tif 000003
【図２】
2020079506.tif 000004
【図３】
2020079506.tif 000005
【図４】
2020079506.tif 000006
【図５】
2020079506.tif 000007
【図６】
2020079506.tif 000008
【図７】
2020079506.tif 000009
【図８】
2020079506.tif 000010
【図９】
2020079506.tif 000011
【図１０】
2020079506.tif 000012
【図１１】
2020079506.tif 000013